(57)【特許請求の範囲】
【請求項１】
パンチボディを上下動自在に内装した筒状のパンチガイドの下端部にストリッパープレートを着脱可能に備えた金型において、前記ストリッパープレートの外周面に形成した係合凹部に係合して上記ストリッパープレートを保持自在の係止部を下端部に備えた弾性部材を前記パンチガイドの下部に設け、前記弾性部材の前記係止部より上側の外側面に当接して外方向への変形を規制自在かつ上記弾性部材における前記係止部の外側に形成した凹部に対応して外方向への変形を許容自在の変形規制部を備えたスライド部材を、前記パンチガイドの下部に上下方向に移動固定自在に設けたことを特徴とする金型。
【請求項２】
請求項１に記載の金型において、前記スライド部材に備えた前記変形規制部が前記弾性部材の前記外側面に当接した状態にあるときに、前記スライド部材に形成した係止部と係脱自在の係止部を備えた弾性ストッパを前記パンチガイドに備えていることを特徴とする金型。
【発明の詳細な説明】
【０００１】
【発明の属する技術分野】
本発明は金型に係り、さらに詳細には、例えばタレットパンチプレス等のごときパンチプレスに使用される金型であって、ストリッパープレートを着脱可能に備えた金型に関する。
【０００２】
【従来の技術】
タレットパンチプレス等のごときパンチプレスに使用される金型として、例えば図４に示すごとき金型１が知られている。上記金型１は、筒状のパンチガイド３内に、下端部にパンチ刃部５Ｂを備えたパンチボディ５を上下動自在に内装した構成であって、上記パンチボディ５の上端部に一体的に取付けたパンチヘッド７と上記パンチガイド３の上部のフランジ部３Ｆとの間には、例えばウレタンゴムや皿ばねなどのごとき強力なストリッパースプリング９が弾装してある。そして、前記パンチガイド３の下端部には、前記パンチ刃部５Ｂを囲繞したストリッパープレート１１が着脱可能に取付けてある。
【０００３】
前記パンチガイド３からのストリッパープレート１１の脱落を防止するために、図５に示すように、ストリッパープレート１１の外周面に形成した係合凹部としての周溝１１Ｇに係合離脱自在のボール１３をパンチガイド３の下部に内外方向へ移動可能に備えている。そして、上記ボール１３の外方向への移動を許容するボール収容凹部１５を備えると共に上記ボール１３を内方向へ移動せしめるための傾斜面１７を備えたスライド部材１９が、前記パンチガイド３の外周下部に形成した上下方向の溝２１内に上下動可能に設けられている。
【０００４】
上記スライド部材１９の上下動をロックするために、前記パンチガイド３に形成した凹部２３内には前記溝２１に対して出没自在のストッパ２５が設けられており、このストッパ２５と上記凹部２３の底部との間には、スプリング２７が弾装してある。そして、上記ストッパ２５に対応してスライド部材１９には押しボタン２９が設けられている。
【０００５】
上述のごとき従来の構成においては、図５に示すようにスライド部材１９がストッパ２５によって移動しないようにロックされた状態にあるとき、スプリング２７の付勢力に抗して押しボタン２９を押し、ストッパ２５を溝２１から没入せしめると、スライド部材１９のロックが解除され、下方向へ移動可能になる。
【０００６】
したがって、押しボタン２９を押した状態でスライド部材１９を下方向へ移動すると、スライド部材１９に形成したボール収容凹部１５がボール１３と対応し、ボール１３が上記ボール収容凹部１５へ移動して、ストリッパープレート１１をパンチガイド３から取り外すことができるものである。
【０００７】
前記スライド部材１９を下降した状態から上昇せしめると、スライド部材１９に形成した傾斜面１７によってボール１３が内方向へ移動され、ストリッパープレート１１の周溝１１Ｇに係合してストリッパープレート１１が脱落しないように固定されると共に、押しボタン２９がストッパ２５の位置に対応し、スプリング２７の作用によってストッパ２５が溝２１内に突出され元の状態となって、スライド部材１９のロックが再び行われるものである。
【０００８】
【発明が解決しようとする課題】
前述のごとき従来の構成においては、工具を用いることなしにストリッパープレート１１の着脱を行い得る点において利点はあるものの、ボール１３とストリッパープレート１１との接触が点接触となり、ボール１３及び／又はストリッパープレート１１に損傷を生じ易いと共に、スライド部材１９に形成した傾斜面１７の位置及び傾斜角と押しボタン２９の位置的関係の精度が悪いと、ボール１３でもってストリッパープレート１１を確実に固定することができずに、ストリッパープレート１１にガタ付きを生じ易いので、構成部品を高精度に仕上げなければならない、という問題がある。
【０００９】
【課題を解決するための手段】
本発明は上述のごとき問題に鑑みてなされたもので、請求項１に係る発明は、パンチボディを上下動自在に内装した筒状のパンチガイドの下端部にストリッパープレートを着脱可能に備えた金型において、前記ストリッパープレートの外周面に形成した係合凹部に係合して上記ストリッパープレートを保持自在の係止部を下端部に備えた弾性部材を前記パンチガイドの下部に設け、前記弾性部材の前記係止部より上側の外側面に当接して外方向への変形を規制自在かつ上記弾性部材における前記係止部の外側に形成した凹部に対応して外方向への変形を許容自在の変形規制部を備えたスライド部材を、前記パンチガイドの下部に上下方向に移動固定自在に設けた構成である。
【００１０】
また、前記金型において、前記スライド部材に備えた前記変形規制部が前記弾性部材の前記外側面に当接した状態にあるときに、前記スライド部材に形成した係止部と係脱自在の係止部を備えた弾性ストッパを前記パンチガイドに備えていることを特徴とするものである。
【００１１】
【発明の実施の形態】
以下、図面を用いて本発明の実施の形態について説明するに、前述した従来の構成と同一の構成であって同一機能を奏する構成部分には同一符号を付することとして重複した説明は省略する。
【００１２】
図１を参照するに、実施の形態に係る金型は、パンチボディ（図１には図示省略）を上下動自在に内装した筒状のパンチガイド３の下端部にストリッパープレート１１を着脱可能に備えた構成である。前記パンチガイド３の下端部にストリッパープレート１１を保持する構成として、ストリッパープレート１１の外周面に成形した係合凹部の一例としての周溝１１Ｇに係脱自在の係止部３１Ｋを先端部（下端部）に備えた弾性部材としての板ばね３１が前記パンチガイド３に形成した上下方向の溝２１の下部に取付けてある。上記板ばね３１の前記係止部３１Ｋは、周溝１１Ｇに係合すべく、内側へ突出しかつ周溝１１Ｇの形状に倣うように湾曲成形してあって外側には凹部３１Ｃが形成してある。
【００１３】
前記溝２１内には、取付ボルトのごとき取付具３３を介してスライド部材３５が上下動自在に取付けられている。このスライド部材３５の内側下部付近には、前記板ばね３１の基部側外面に当接して当該板ばね３１の外方向への変形を規制自在かつ上記板ばね３１の前記凹部３１Ｃに対応した位置に移動したときには外方向への変形を許容する変形規制部の一例としてのピン３７が取付けてある。
【００１４】
また、上記スライド部材３５の上部には係止部３５Ｋが形成してあり、この係止部３５Ｋには、前記溝２１内の上部に取付具３９によって取付けた板ばねのごとき弾性ストッパ４１に突出形成した係止部４１Ｋが係脱自在に形成してある。
【００１５】
上記構成により、図１に示すように、弾性ストッパ４１の係止部４１Ｋにスライド部材３５の係止部３５Ｋが係止された状態にあり、かつスライド部材３５に備えた変形規制部の一例としてのピン３７が弾性部材３１の基部側外面に当接した状態にあるときには、上記弾性部材３１の先端部の係止部３１Ｋが外方向（図１Ａにおいて右方向）へ変形することを規制され、上記係止部３１Ｋはストリッパープレート１１の係合凹部１１Ｇに係合した状態が保持される。
【００１６】
上述ごとき状態にあるとき、弾性ストッパ４１を親指等によって内方向へ押圧して、弾性ストッパ４１の係止部４１Ｋをスライド部材３５の係止部３５Ｋから離脱し、スライド部材３５を下降せしめると、前記ピン３７が弾性部材３１の凹部３１Ｃに対応するので、弾性部材３１の係止部３１Ｋを外方向へ弾性変形せしめることが可能になる。しかし、上記弾性部材３１の弾性により係止部３１Ｋがストリッパープレート１１の係合凹部１１Ｇに係合した状態に保持され、ストリッパープレート１１が自重等によってパンチガイド３から不用意に脱落することを防止しているものである。
【００１７】
前述のごとく、ピン３７が弾性部材３１の凹部３１Ｃに対応した位置にあるとき、ストリッパープレート１１を図２において下方向へ引っ張ることにより、弾性部材３１の弾性に抗して取り外すことができるものである。また逆の動作を行うことにより、パンチガイド３に対してストリッパープレート１１を取付けることができるものである。
【００１８】
既に理解されるように、前述のごとき構成によれば、工具を用いることなく、パンチガイド３に対してストリッパープレート１１を着脱することができることは勿論のこと、弾性部材３１の作用によって、着脱時にストリッパープレート１１が不用意に脱落することをも防止できるものである。また、弾性部材３１の係止部３１Ｋはストリッパープレート１１における係合凹部１１Ｇに倣うように弯曲形成してあるので、ストリッパープレート１１を常にパンチガイド３の下端面に押圧してガタのないように支持することができるものである。
【００１９】
さらに、変形規制部としてのピン３７が弾性部材３１の基部側外面に当接する位置及び凹部３１Ｃに対応する位置は必ずしも正確である必要はなく、要は、弾性ストッパ４１の係止部４１Ｋとスライド部材３５の係止部３５Ｋが係合した状態にあるとき、ピン３７が弾性部材３１の基部側外面に位置し、上記係合を解除してスライド部材３５を下降せしめたとき、ピン３７から弾性部材３１の凹部３１Ｃに対応すれば良いものであるから、例えばスライド部材３５の係止部３５Ｋと前記ピン３７の位置的関係等の精度はある程度ラフで良く、製造が容易であると共に安価に製造できるものである。
【００２０】
図３は別の実施の形態を示すもので、前述した実施の形態と相違する点は、スライド部材３５の上部に、弾性ストッパ４１等を覆うカバー部４３を一体に設け、このカバー部４３に、弾性ストッパ４１を押圧自在の押しボタン４５を備えた点である。この構成によれば、図１に示した実施の形態と同様の効果を奏すると共に操作性が向上し、かつ外観が良くなるものである。
【００２１】
【発明の効果】
以上のごとき説明より理解されるように、本発明によれば、パンチガイドに対してストリッパープレートを着脱するようなとき、パンチガイドからストリッパープレートが不用意に脱落することを防止することができると共に、製造が容易で安価に提供でき、前述したごとき従来の問題点を解消することができるものである。
【図面の簡単な説明】
【図１】本発明の実施の形態に係る金型の主要部分を示す作用説明図及び側面図である。
【図２】本発明の実施の形態に係る金型の主要部分を示す作用説明図及び側面図である。
【図３】本発明の別の実施の形態に係る金型の主要部分を示す作用説明図及び側面図である。
【図４】一般的な金型の一部断面した説明図である。
【図５】従来のストリッパープレートを着脱する構成の断面説明図である。
【符号の説明】
１  金型
３  パンチガイド
５  パンチボディ
１１  ストリッパープレート
３１  弾性部材（板ばね）
３１Ｃ  凹部
３１Ｋ，３５Ｋ，４１Ｋ  係止部
３５  スライド部材
３７  変形規制部（ピン）
４１  弾性ストッパ
【図１】
0004598209.tif 000002
【図２】
0004598209.tif 000003
【図３】
0004598209.tif 000004
【図４】
0004598209.tif 000005
【図５】
0004598209.tif 000006